(57)【要約】【課題】ディメンジョン変化に伴い最適なレーザ光の波長が変化しても、最適なレーザ光の波長で記録することができるようにする。【解決手段】光源１が同じである情報光と参照光とを干渉させて、ホログラム媒体１６に情報を記録し、ホログラム媒体１６に参照光を照射して情報を再生するホログラム情報記録再生装置において、光源１は発振する波長を変化させることが可能であり、ホログラム媒体１６からの再生情報に基づいて、記録時における光源１の発振波長を決定する波長制御回路を備えることを特徴とする。【選択図】図１
2009288429.tif 000002
【特許請求の範囲】
【請求項１】
光源が同じである情報光と参照光とを干渉させて、ホログラム媒体に情報を記録し、前記ホログラム媒体に前記参照光を照射して情報を再生するホログラム情報記録再生装置において、
前記光源は発振する波長を変化させることが可能であり、
前記ホログラム媒体からの再生情報に基づいて、記録時における前記光源の発振波長を決定する波長制御回路を備えることを特徴とするホログラム記録再生装置。
【請求項２】
前記波長制御回路は、前記ホログラム媒体からの再生情報に基づいて前記参照光の波長を制御し、当該参照光の波長に応じて、記録時における前記光源の発振波長を決定することを特徴とする請求項１記載のホログラム記録再生装置。
【請求項３】
前記再生情報は２次元画像データであって、当該２次元画像データは同数の画素を含む二つの領域に分けられ、
前記再生情報から、前記二つの領域ごとの前記再生情報の和を演算し、
当該和の差の絶対値を輝度評価値として演算し、
該輝度評価値が０に近くなるように前記参照光の発振波長を制御することを特徴とする請求項１記載のホログラム記録再生装置。
【請求項４】
前記再生情報を復号し、該再生情報のエラー訂正回数を測定し、エラーレートを演算するエラーレート演算回路を備え、
前記波長制御回路は前記エラーレートが最小になるように前記参照光の発振波長を制御することを特徴とする請求項１記載のホログラム記録再生装置。
【請求項５】
前記再生情報は２次元画像データであって、
ある閾値よりも明るい領域の前記再生情報の平均値及びある閾値よりも暗い領域の前記再生情報の平均値を演算し、
前記明るい再生情報の平均値と、前記暗い再生情報の平均値との差を輝度評価値として演算し、該差が大きくなるように、前記参照光の波長を調整することを特徴とする請求項１記載のホログラム記録再生装置。
【請求項６】
前記再生情報は、前記ホログラム媒体の所定アドレスに位置する管理情報領域に記録された情報であることを特徴とする請求項１記載のホログラム記録再生装置。
【請求項７】
前記再生情報は、前記ホログラム媒体における最新の既記録データ又は記録する位置に近い位置のデータであることを特徴とする請求項１記載のホログラム記録再生装置。
【発明の詳細な説明】
【技術分野】
【０００１】
本発明は、ホログラムディスクに情報をホログラムとして多重記録するホログラム記録再生装置に関する。
【背景技術】
【０００２】
近年、次世代の超高密度データストレージとして、ホログラムメモリが実用化領域での注目を集めている。
【０００３】
デジタルホログラムメモリは、２次元デジタルパターン情報をもつ情報光と参照光を干渉させて回折格子（ホログラフィ）を記録媒体に記録する。
【０００４】
情報は記録媒体に記録された回折格子からブラッグ回折光として再生される。再生信号光が十分な光量で再生されるためにはブラッグ条件を満たす必要がある。
【０００５】
ホログラム媒体はその媒体の性質上、線膨張係数が高いために、媒体温度が変化した場合には、記録された材料の膨張・収縮が生じ、さらに、屈折率も変化する。これら温度変化による媒体のディメンジョン変化は、記録時に記録された回折格子の角度と格子間隔の変化を引き起こす。
【０００６】
前後の記録の間でディメンジョン変化が起こっていると、同じレーザ光の波長で記録しても、ディメンジョン変化の前後では、記録される回折格子の角度と回折格子の間隔が変化してしまう。すなわち、記録された領域ごとに再生に最適なレーザ光の波長が異なり、一定のレーザ光の波長で再生することができなくなる。
【０００７】
このディメンジョン変化による記録状態の悪化を改善する方法として、温度変化を温度センサで検知し、温度変化に応じてメモリテーブルからレーザ光の波長を決定する手法が提案されている（特許文献１）。
【特許文献１】特開２００７−１７８７８０号公報
【発明の開示】
【発明が解決しようとする課題】
【０００８】
しかしながら、従来の温度センサを用いて記録時の参照光の波長を調整する方法を用いると、別途温度センサを設ける必要がありコストが増大したり装置が大型化してしまったりしていた。
【０００９】
さらには、急激な温度変化があった場合などは、ホログラム媒体の温度が周辺の温度と同じになるには時間がかかる。
【００１０】
このため、実際のディメンジョン変化と、温度センサで検出した温度から想定されるディメンジョン変化とが異なる場合がある。つまり従来の温度センサとメモリテーブルを用いる方法では記録時の最適なレーザ光の波長を決定することはできない。
【００１１】
そこで、本発明は、ディメンジョン変化に伴い最適なレーザ光の波長が変化しても、最適なレーザ光の波長で記録することができるホログラム情報記録再生装置及びホログラム媒体の記録方法を提供することを目的とする。また、ホログラム媒体のディメンジョン変化に応じて、最適なレーザ光の波長で記録することで、再生時にはホログラム媒体全面を一定の波長で再生することができる。
【課題を解決するための手段】
【００１２】
本発明は、上記課題を解決するための手段として、光源が同じである情報光と参照光とを干渉させて、ホログラム媒体に情報を記録し、前記ホログラム媒体に前記参照光を照射して情報を再生するホログラム情報記録再生装置において、前記光源は発振する波長を変化させることが可能であり、前記ホログラム媒体からの再生情報に基づいて、記録時における前記光源の発振波長を決定する波長制御回路を備えることを特徴とする。
【発明の効果】
【００１３】
本発明によれば、ホログラム媒体内で既に記録されている領域を再生し、再生した再生信号に基づいて記録時の最適なレーザ光の波長を決定する。そして、決定したレーザ光の波長を用いて記録を行なう。したがって、前回の記録と今回の記録との間でディメンジョン変化が起きた場合にも、別途温度センサを設たり、メモリテーブルを持つことなく記録時の最適なレーザ光の波長を決定することができる。また、ホログラム媒体のディメンジョン変化に応じて、最適な波長で記録することで、再生時にはホログラム媒体全面を一定の参照光の波長で再生することができる。
【発明を実施するための最良の形態】
【００１４】
以下、添付図面を参照して本発明を実施するための最良の実施の形態を説明する。
【００１５】
（第１の実施形態）
図１は、本発明の一実施形態としてのコリニア方式の光情報記録再生装置を示すブロック図である。
【００１６】
図１において、スピンドルモータ１５は、ホログラム媒体１６を回転駆動させる。
【００１７】
光ピックアップ１００は、ホログラム媒体１６へ照射する情報光及び参照光の光源となる。
【００１８】
また、ホログラム媒体１６からの再生光を光ピックアップ１００内で受光し、電気信号である再生信号に変換する。
【００１９】
そして、再生信号処理回路２６では、光ピックアップ１００からの再生信号を２次元データとしてメモリに保存され、再生情報として出力する。
【００２０】
また、輝度評価値検出回路２８では、光ピックアップ１００からの再生信号をもとに、輝度評価値が求められる。
【００２１】
次に、コントローラ３０では、輝度評価値演算手段２８からの輝度評価値をもとに、波長変更量を生成する。
【００２２】
また、コントローラ３０では、ホログラム媒体１６と光ピックアップ１００との位置関係を制御するように、スレッドモータ駆動値を生成する。
【００２３】
また、コントローラ３０は、生成した波長変更量を波長制御回路２９に与え、レーザ光源の発振波長が目標の波長になるように制御する。
【００２４】
また、コントローラ３０は、生成したスレッドモータ駆動値をスレッドモータ駆動回路２７に与え、スレッドモータを駆動することで、ホログラム媒体１６の半径方向に光ピックアップ１００の位置を制御する。
【００２５】
次に、本発明である光情報記録再生装置の記録を行なう場合について説明する。
【００２６】
図２は、図１の光ピックアップ１００の構成を示すブロック図である。
【００２７】
まず、図２に示すように、第１のレーザ光源１から出射された光束は、コリメータ２で平行光束とされ、ミラー３を経由し、空間光変調素子（ＳＬＭ:Spatial Light Modulator）４を照明する。
【００２８】
ＳＬＭ４上で「１」の情報を表す画素で反射された光は、ホログラム媒体１６の方向へ反射され、「０」の情報を表す画素で反射された光は、ホログラム媒体１６の方向へ反射されない。コリニア方式のＳＬＭ４上には、情報光６を変調する部分とそれを環状に取り巻く参照光５を変調する部分が設けられている。
【００２９】
ＳＬＭ４で「１」の情報を表す画素にて反射された参照光５と情報光６は、偏光ビームスプリッタ（ＰＢＳ）７を透過する。
【００３０】
そして、リレーレンズ８、ミラー９、リレーレンズ１０、ダイクロイックビームスプリッタ（ダイクロＢＳ）１１を経由してホログラム媒体（ホログラム記録媒体）１６側に差し向けられる。そして、１／４波長板（ＱＷＰ）１２を透過し、円偏光に変換された参照光５と情報光６は、ミラー３で反射されて対物レンズ１４に入射する。
【００３１】
ホログラム媒体１６は、ディスク状であり、スピンドルモータ１５上に回転可能に保持されている。対物レンズ１４によって、参照光５と情報光６は、ホログラム媒体１６に設けられた記録層（図示しない）に集光され、干渉して干渉縞を形成する。記録層中の高分子材料には、この記録時の干渉縞パターンが屈折率分布として記録され、デジタル体積ホログラムが形成される。
【００３２】
また、ホログラム媒体１６を構成する記録媒体中には、反射膜（図示しない）が設けられている。
【００３３】
ここで、光ピックアップ１００は図示しないスライダにより固定されている。また、このスライダにより、ホログラム媒体１６の半径方向に平行スライドが可能となっている。
【００３４】
なお、図１のスレッドモータ駆動回路２７により、スレッドモータ２５が駆動される。そして、スレッドモータ２５が駆動されることで、スライダを移動し記録する位置を変えている。
【００３５】
上記の光学系には、ホログラムの記録再生を行なうレーザ光源１以外に、記録媒体に感光性のない波長の光を出射する第２のレーザ光源２０が設けられている。レーザ２０から出射される光により、上記の反射膜を基準面として、ホログラム媒体１６の変位を高精度に検出することが可能である。
【００３６】
これにより、ホログラム媒体１６に面ブレや偏芯が発生しても光サーボ技術を用いてダイナミックに記録スポットを記録媒体面に追従させることができる。その結果、高精度に干渉縞パターンを記録することができる。
【００３７】
以下に簡単に説明する。
【００３８】
まず、レーザ光源２０から出射された直線偏光光束は、ビームスプリッタ（ＢＳ）２１を透過し、レンズ２２で平行光束とされ、ミラー２３とダイクロＢＳ１１で反射されて、ホログラム媒体１６に差し向けられる。
【００３９】
１／４波長板（ＱＷＰ）１２を透過し、円偏光に変換された光束は、ミラー１３で反射されて対物レンズ１４に入射してホログラム媒体１６上の反射面に微小な光スポットとして集光される。
【００４０】
反射された光束は逆回りの円偏光となり、対物レンズ１４に再入射して平行光束とされ、ミラー１３で反射されて１／４波長板（ＱＷＰ）１２を透過して、往路とは垂直な直線偏光光束に変換される。ダイクロＢＳ１１で反射された光束は、往路と同様にミラー２３、レンズ２２を経由し、ビームスプリッタ（ＢＳ）２１で反射されて、受光部２４に導かれる。
【００４１】
受光部２４は、複数の受光面（図示しない）を有し、各受光面にて検出される信号に基づいて公知の方法で反射面の位置情報を検知し、それに基づいて対物レンズ１４のフォーカスとトラッキングを行なうことができる。
【００４２】
次に、上記光ピックアップを用いて、記録媒体であるホログラム媒体１６から記録情報の再生を行なう場合について説明する。
【００４３】
光源のレーザ光源１から出射された光束は、記録時と同様に、空間光変調素子（ＳＬＭ）４を照明する。
【００４４】
再生時は、ＳＬＭ４上の参照光５を変調する部分のみが「１」の情報を表示し、情報光６を変調する部分はすべて「０」の情報を表示する。
【００４５】
したがって、参照光の部分の画素で反射された光だけが、ホログラム媒体１６の方向へ反射され、情報光はホログラム媒体１６の方向へ反射されない。
【００４６】
記録時と同様に参照光５は、円偏光となってホログラム媒体１６内の記録層（図示せず）に集光され、記録された干渉縞から情報光を再生する。ホログラム媒体１６を構成する記録媒体中の反射膜で反射された情報光は、逆回りの円偏光となり、対物レンズ１４に再入射して平行光束とされる。
【００４７】
そして、ミラー１３で反射されて１／４波長板（ＱＷＰ）１２を透過して、往路とは垂直な直線偏光光束に変換される。この時、対物レンズ１４からｆの距離に再生されたＳＬＭ４の表示パターンの中間像が形成される。
【００４８】
ダイクロＢＳ１１を透過した光束は、リレーレンズ１０、ミラー２０９、リレーレンズ８を経由して偏光ビームスプリッタ（ＰＢＳ）７に差し向けられる。
【００４９】
ＰＢＳ７で反射された光束は、リレーレンズ１０とリレーレンズ８により、空間光変調素子（ＳＬＭ）４と共役の位置にＳＬＭ４の表示パターンの中間像として再結像される。この位置には、開口１７が予め置かれ、これにより情報光の周辺部にある不要な参照光が遮蔽される。
【００５０】
そして、レンズ１８により、再結像された中間像は受光部１９上に情報光の部分のみのＳＬＭ４の表示パターンを形成する。
【００５１】
これにより、不要な参照光が受光部１９に入射しないので、Ｓ／Ｎの良い再生信号が得られる。ここで、受光部１９は、２次元ＣＣＤやＣＭＯＳセンサなどで構成され、受光した光強度を電気信号に変換した再生信号を再生信号処理回路２６へ出力する。
【００５２】
次に、受光部１９で受光した光強度を電気信号に変換して再生信号を生成する手順について説明する。
【００５３】
図３は、再生信号処理回路２６のブロック図である。また、図４は、受光部１９を示す模式的平面図である。
【００５４】
なお、図４において、iｍａｘは受光部１９内における横方向の画素数、jｍａｘは同じく縦方向の画素数を示す。
【００５５】
今回は、iｍａｘ＝jｍａｘ＝２００であるとする。また、受光部１９に配列された任意の画素位置を（ｉ，ｊ）とする。
【００５６】
まず、受光部１９の画素位置（１,１）から横方向へ走査していき、電気信号を再生信号処理回路２６内のＡＤ変換器３１に出力する。同様に、画素位置（２００,１）まで電気信号をＡＤ変換器３１に出力する。
【００５７】
次に、同様に、画素位置（１,２）から画素位置（２００,２）まで電気信号をＡＤ変換器３１に出力する。そして、画素位置（２００,２００）まで走査を繰り返し、電気信号をＡＤ変換器３１に出力する。
【００５８】
そして、ＡＤ変換器３１では、受光部１９からの電気信号をデジタル信号に変換し、再生信号として出力する。
【００５９】
次に、ＡＤ変換器３１からの再生信号は、メモリ３２に記録される。ここで、受光部１９内におけるどこの位置の再生信号かが分かるようにアドレスを割り当ててメモリ３２内に記録される。その出力を元に、輝度評価値演算手段２８は輝度評価値Ｆの演算を行う。
【００６０】
輝度評価値演算手段２８では、メモリ３２内に受光部１９の１画面分が記録されたところで、受光部１９における画素位置（１,ｊ）から画素位置（１００,ｊ）のＢ１領域における再生信号の和を演算する。
【００６１】
同様に、画素位置（１０１,ｊ）から画素位置（２００,ｊ）のＢ２領域における再生信号の和を演算する。本実施形態では、Ｂ１領域に含まれる画素数とＢ２領域に含まれる画素数は同数であるとする。
【００６２】
次に、Ｂ１領域における再生信号の和と、Ｂ２領域における再生信号の和との差の絶対値を演算し、これを輝度評価値Ｆとして、コントローラ５０に出力する。なお、ｊ＝１〜２００とする。
【００６３】
次に、実施の形態である記録時のレーザ光の波長を調整するコントローラ３０の具体的な制御動作を説明する。図５は、本実施形態の波長調整の制御動作を示すフローチャートである。
【００６４】
コントローラ３０は、記録要求に基づいてレーザ光の波長調整を開始する。波長調整は既に記録されている領域を再生することで行なう。
【００６５】
ここで、波長調整を行なう領域はレーザ光の波長をコリニア方式の規格で定められている。５３２.０ｎｍで記録されたとする。したがって、レーザ光の波長λc＝５３２.０ｎｍとする。
【００６６】
レーザ光の波長がλcになるように波長制御回路２６で光ピックアップ１００内のレーザ光源１の波長を制御する(Ｓ１００)。
【００６７】
そして、ホログラム媒体１６を透過して出てきた再生光を、受光部１９で受光する。
【００６８】
受光部１９で受光した光強度を電気信号に変換した再生信号を再生信号処理回路２６に入力する。
【００６９】
再生信号処理回路２６にてＡＤ変換器３１でＡＤ変換され、メモリ３２に２次元画像データとして格納され、輝度評価値演算手段２８により輝度評価値Ｆ０の演算結果をコントローラへ出力する（Ｓ１０１）。
【００７０】
次に、微小量分偏差Δλ＝０.０１ｎｍとし、レーザ光の波長がλc＋Δλになるように、波長制御回路２９で光ピックアップ１００内のレーザ光源１の波長を制御する（Ｓ１０２）。
【００７１】
そして、Ｓ１０１と同様に輝度評価値を演算し、その結果をＦ１とする（Ｓ１０３）。
【００７２】
次に、レーザ光の波長がλc−Δλになるように、波長制御回路２９で光ピックアップ１００内のレーザ光源１の波長を制御する（Ｓ１０４）。
【００７３】
そして、Ｓ１０１と同様に輝度評価値を演算し、その結果をＦ２とする（Ｓ１０５）。
【００７４】
以上の手順を行なうことによりλcを中心とした３種類の波長における輝度評価値を得ることになる。
【００７５】
次に、得られた輝度評価値Ｆ１とＦ２を比較する。これによりλcに対して最適なレーザ光の波長が短い方向にあるか、長い方向にあるかの判断を行なう(Ｓ１０６)。
【００７６】
ここで、Ｆ１がＦ２を下回ったときには最適なレーザ光の波長がλc以下に判断することができる。
【００７７】
次に、得られた輝度評価値Ｆ０とＦ１を比較する(Ｓ１０７)。
【００７８】
ここで、Ｆ０がＦ１を下回ればλcにおいて輝度評価値が最も低いことになり、このときのレーザ光の波長λcが最適なレーザ光の波長となる。そして、波長λcを最適なレーザ光の波長として波長制御回路２６で光ピックアップ１００内のレーザ光源１を制御し、記録を開始する。
【００７９】
一方、Ｆ１がＦ０を下回ったときには最適なレーザ光の波長はλcよりも長い波長にあることになるのでλcをλc＋Δλに更新する(Ｓ１０８)。
【００８０】
これらの手順を繰り返すことにより最適なレーザ光の波長が求まる。
【００８１】
なお、微小量分偏差の刻み幅は、本実施形態における０．１ｎｍに限ったものではない。
【００８２】
また、上記、Ｓ１００における既に記録された領域とは、例えば、管理情報領域である。管理情報領域とは、アドレス情報や再生専用の情報、情報を記録再生する際の記録再生条件などが、媒体製造時に一定の条件で予め記録されている、ユーザーデータ領域とは別に設けられた領域である。波長調整において、この管理情報領域を用いることで、記録状態に因らず安定した波長制御を行なうことが可能となる。
【００８３】
なお、記録時のレーザ光の波長調整を行なう場所は、他にも既に記録されたユーザーデータ領域や、空いているユーザーデータ領域に、波長調整のために試し記録を行なったデータを用いてもよい。さらには、最新の既記録データやこれから記録しようとするアドレスに最も近い位置の記録済みデータを用いてもよい。
【００８４】
波長制御において、ユーザーデータ領域を用いることで、他社ドライブで記録した記録データに合わせて波長制御を行なうことができる。
【００８５】
したがって、既に他社ドライブで記録されたホログラム媒体に追記する場合にも、記録条件を合わせて記録することができ、再生時にも一定の参照光の波長でホログラム媒体全面に渡って再生を行なうことができる。
【００８６】
また、上記の輝度評価値Ｆの算出方法についての別の一例を説明する。この方法は、上記と同様に、メモリ３２内に記録されている受光部１９の１画面分の再生信号を用いて算出する。まず、ある閾値より明るい再生信号の平均値を演算する。また、同様にある閾値より暗い再生信号の平均値を演算する。そして、明るい再生信号の平均値と、暗い再生信号の平均値との差を演算し、これを輝度評価値Ｆとしてコントローラ３０に出力し、この値が大きくなるように参照光の波長を調整する。
【００８７】
以上、説明したように、本実施形態によれば、参照光の波長を所定の波長に対して微小量分偏差させ、再生信号の輝度評価値から求めた最適な参照光の波長を、記録時のレーザ光の波長として用いる。このことにより、記録時にディメンジョン変化等が原因で、最適なレーザ光の波長が変化した場合にも、一定の記録品位でユーザーデータを記録することができる。加えて、再生時にも一定の参照光の波長でホログラム媒体全面に渡って再生を行なうことができる。
【００８８】
（第２の実施形態）
第２の実施形態においては、再生信号のエラーレートを指標として、記録時の参照光の角度を調整する実施形態について説明する。
【００８９】
図６は、本発明の第２の実施形態におけるホログラム情報記録再生装置を示すブロック図である。なお、図１と同じ付番を記したブロックで、第１の実施形態と同じ動作をするブロックに関しては説明を繰り返さない。
【００９０】
図６において、エラーレート演算回路４０は、再生信号処理回路２６からの再生情報をもとに再生情報の復号を行い、再生情報のエラー訂正回数を測定し、エラーレートを演算する。
【００９１】
次に、コントローラ５０では、エラーレート演算回路４０からのエラーレート情報をもとに、波長変更量を生成する。
【００９２】
また、コントローラ３０では、ホログラム媒体１６と光ピックアップ１００との位置関係を制御するように、スレッドモータの駆動値を生成する。
【００９３】
次に、本発明の第２の実施形態におけるコントローラ３０の動作を説明する。図７は、本実施形態の波長調整の制御動作を示すフローチャートである。
【００９４】
コントローラ３０は、記録要求に基づいてレーザ光の波長調整を開始する。波長調整は既に記録されている領域を再生することで行なう。ここで、波長調整を行なう領域はレーザ光の波長をコリニア方式の規格で定められている。５３２.０ｎｍで記録されたとする。したがって、レーザ光の波長λc＝５３２.０ｎｍとする。
【００９５】
レーザ光の波長がλcになるように波長制御回路２６で光ピックアップ１００のレーザ光源１の波長を制御する(Ｓ２００)。
【００９６】
そして、ホログラム媒体１６を透過して出てきた再生光を、受光部１９で受光する。受光部１９で受光した光強度を電気信号に変換した再生信号を再生信号処理回路２６に入力する。再生信号処理回路２６にて波形等価処理された再生情報をもとに、エラーレート演算回路４０でエラー訂正を行い、エラーレートの演算を行い、エラーレートＥ０の演算を行い、コントローラ３０へ結果を出力する（Ｓ２０１）。
【００９７】
次に、微小量分偏差Δλ＝０.０１ｎｍとし、レーザ光の波長がλc＋Δλになるように、波長制御回路２９で光ピックアップ１００内のレーザ光源１の波長を制御する（Ｓ２０２）。
【００９８】
そして、Ｓ１０１と同様にエラーレートを演算し、その結果をＥ１とする（Ｓ２０３）。
【００９９】
次に、レーザ光の波長がλc−Δλになるように、波長制御回路２９で光ピックアップ１００内のレーザ光源１の波長を制御する（Ｓ２０４）。
【０１００】
そして、Ｓ１０１と同様にエラーレートを演算し、その結果をＥ２とする（Ｓ２０５）。
【０１０１】
以上の手順を行なうことによりλcを中心とした３種類の波長におけるエラーレートを得ることになる。
【０１０２】
次に、得られたエラーレートＥ１とＥ２を比較する。これによりλcに対して最適なレーザ光の波長が短い方向にあるか、長い方向にあるかの判断を行なう(Ｓ２０６)。
【０１０３】
ここでＥ１がＥ２を下回ったときには最適なレーザ光の波長がλc以下に判断することができる。
【０１０４】
次に、得られたエラーレートＥ０とＥ１を比較する(Ｓ２０７)。
【０１０５】
ここで、Ｅ０がＥ１を下回ればλcにおいてエラーレートが最小になることになり、このときのレーザ光の波長λcが最適なレーザ光の波長となる。そして、波長λcを最適なレーザ光の波長として波長制御回路２６で光ピックアップ１００内のレーザ光源１を制御し、記録を開始する。
【０１０６】
一方、Ｅ１がＥ０を下回ったときには最適なレーザ光の波長はλcよりも長い波長にあることになるのでλcをλc＋Δλに更新する(Ｓ２０８)。
【０１０７】
これらの手順を繰り返すことにより最適なレーザ光の波長が求まる。
【０１０８】
なお、微小量分偏差の刻み幅は、本実施形態における０．１ｎｍに限ったものではない。
【０１０９】
また、上記、Ｓ２００における既に記録された領域とは、例えば管理情報領域である。
【０１１０】
管理情報領域とは、アドレス情報や再生専用の情報、情報を記録再生する際の記録再生条件などが、媒体製造時に一定の条件で予め記録されている、ユーザーデータ領域とは別に設けられた領域である。管理情報領域は、ホログラム媒体の所定アドレスに位置する。
【０１１１】
波長調整において、この管理情報領域を用いることで、記録状態に因らず安定した波長制御を行なうことが可能となる。
【０１１２】
なお、記録時のレーザ光の波長調整を行なう場所は、他にも既に記録されたユーザーデータ領域や、空いているユーザーデータ領域に、波長調整のために試し記録を行なったデータを用いてもよい。
【０１１３】
さらには、最新の既記録データやこれから記録しようとするアドレスに最も近い位置の記録済みデータを用いてもよい。
【０１１４】
波長制御において、ユーザーデータ領域を用いることで、他社ドライブで記録した記録データに合わせて波長制御を行なうことができる。したがって、既に他社ドライブで記録されたホログラム媒体に追記する場合にも、記録条件を合わせて記録することができ、再生時にも一定の参照光の波長でホログラム媒体全面に渡って再生を行なうことができる。
【０１１５】
以上、説明したように、本実施形態によれば、参照光の波長を所定の波長に対して微小量分偏差させ、再生信号のエラーレートから求めた最適な参照光の波長を、記録時のレーザ光の波長として用いる。
【０１１６】
このことにより、記録時にディメンジョン変化等が原因で、最適なレーザ光の波長が変化した場合にも、一定の記録品位でユーザーデータを記録することができる。加えて、再生時にも一定の参照光の波長でホログラム媒体全面に渡って再生を行なうことができる。
【産業上の利用可能性】
【０１１７】
本発明は、ホログラム記録媒体に情報をホログラムとして多重記録するホログラム記録再生装置に利用可能である。
【図面の簡単な説明】
【０１１８】
【図１】本発明の第１の実施形態としてのコリニア方式の光情報記録再生装置を示すブロック図である。
【図２】図１の光ピックアップ１００の構成を示すブロック図である。
【図３】再生信号処理回路２６のブロック図である。
【図４】受光部１９を示す模式的平面図である。
【図５】本発明の第１の実施形態の波長調整の制御動作を示すフローチャートである。
【図６】本発明の第２の実施形態におけるホログラム情報記録再生装置を示すブロック図である。
【図７】本発明の第２の実施形態の波長調整の制御動作を示すフローチャートである。
【符号の説明】
【０１１９】
１  レーザ光源
２  コリメータ
３  ミラー
４  ＳＬＭ（ＤＭＤ）
５  参照光
６  情報光
７  ＰＢＳ
８  リレーレンズ
９  ミラー
１０  リレーレンズ
１１  ダイクロＢＳ
１２  ＱＷＰ
１３  ミラー
１４  対物レンズ
１５  スピンドルモータ
１６  ホログラム媒体
１７  開口
１８  レンズ
１９  受光部
２０  レーザ光源
２１  ＢＳ
２２  レンズ
２３  ミラー
２４  受光部
２５  スレッドモータ
２６  再生信号処理回路
２７  スレッドモータ駆動回路
２８  輝度評価値演算手段
２９  波長制御回路
３０  コントローラ
３１  ＡＤ変換器
３２  メモリ
４０  エラーレート演算手段
【図１】
2009288429.tif 000003
【図２】
2009288429.tif 000004
【図３】
2009288429.tif 000005
【図４】
2009288429.tif 000006
【図５】
2009288429.tif 000007
【図６】
2009288429.tif 000008
【図７】
2009288429.tif 000009